(57)【特許請求の範囲】
【請求項１】
支持台(３)上にディスプレイ(１)を取り付けた支持台付きディスプレイにおいて、
支持台(３)は脚部(４)と該脚部に設けられディスプレイ(１)を取り付けるための取付け部材(５)とを有し、脚部(４)は塞ぎ板(６)によって前面が開放可能に閉じられており、該前面を開放してディスプレイ(１)の下面又は背面の接続端子(12a)へ前方から作業者の手作業が可能に構成され、
ディスプレイ(１)の両側、又は脚部(４)の両側に取付け位置変更可能にスピーカ部(２)(２)が配置され、スピーカ部(２)(２)を脚部(４)の両側に配置した状態の両スピーカ部(２)(２)の外端間の長さＬ２は、ディスプレイ(１)の横長さＬ１に略一致し、ディスプレイ(１)の両外端面とスピーカ部(２)(２)の外端面はほぼ揃う
ことを特徴とする支持台付きディスプレイ。
【請求項２】
支持台(３)上にディスプレイ(１)を取り付けた支持台付きディスプレイにおいて、
支持台(３)は脚部(４)と該脚部に設けられディスプレイ(１)を取り付けるための取付け部材(５)とを有し、脚部(４)は塞ぎ板(６)によって前面が開放可能に閉じられており、該前面を開放してディスプレイ(１)の下面又は背面の接続端子(12a)へ前方から作業者の手作業が可能に構成され、
脚部(４)の両側にスピーカ部(２)(２)が配置され、スピーカ部(２)(２)を脚部(４)の両側に配置した状態の両スピーカ部(２)(２)の外端間の長さＬ２は、ディスプレイ(１)の横長さＬ１に略一致し、ディスプレイ(１)の両外端面とスピーカ部(２)(２)の外端面はほぼ揃う
ことを特徴とする支持台付きディスプレイ。
【請求項３】
脚部(４)はベース(41)上に２本の脚本体(42)(42)を横並びに上向きに突設し、脚本体(42)(42)間の上部を連結板(45)で連結し、脚本体(42)(42)間が塞ぎ板(６)にて塞がれている請求項１又は２に支持台付きディスプレイ。
【発明の詳細な説明】
【０００１】
【発明の属する分野】
本発明は、プラズマディスプレイ、液晶ディスプレイ等の、主として薄型ディスプレイにおいて、支持台付きディスプレイに関するものである。
【０００２】
【従来の技術】
図６は、薄型ディスプレイ(１)とスタンド型の支持台(７)の一例を示している。
支持台(７)は、板状の脚部(72)の下端をベース(71)に固定し、脚部(72)の上端に載せ板(73)を具えている。
載せ板(73)にディスプレイ(１)を載置して固定する。
【０００３】
ディスプレイ(１)は下面中央に凹み部(図示せず)(但し、図２の符号(11)を参照)を設けて、該凹み部に電源端子及び映像、音響記録再生装置等の他機器に対する接続端子(図示せず)(但し、図２の符号(12a)を参照)を集中させており、脚部(72)には、配線をそれら端子群へ接続できる様に、配線導入用の凹み(74)が開設されている。
【０００４】
薄型ディスプレイとのデザイン的な調和を図るために、スタンド型支持台(７)は板状ベース(71)に板状脚部(72)を突設した極めて単純なデザインであり、ベース(71)は、その全厚みを小さくするためにキャスターも取り付けられていないものが多い。
【０００５】
【発明が解決しようとする課題】
ディスプレイ(１)は殆どの場合、部屋の壁面に接近させて設置されるため、他機器との電気的接続を行う場合、支持台(７)と一緒にディスプレイ(１)を前方へ移動させて部屋の壁面との間へ作業空間を確保し、作業者はディスプレイ(１)の後方へ廻り込んで接続端子へ接続せねばならなかった。
【０００６】
最新のプラズマディスプレイ(１)は、薄型であるが重量が３０▲kg▼を越える大画面のものがあり、支持台(７)もそれを支える剛性が必要で、支持台自体の重量も嵩み、簡単に移動できない。無理に移動させると床面を傷ける虞れがあった。
【０００７】
本発明は、ディスプレイ及び支持台を移動させることなく、ディスプレイの前方から端子への接続が可能な支持台付きディスプレイを明らかにするものである。
【０００８】
【課題を解決する手段】
本発明の支持台付きディスプレイは、支持台(３)上にディスプレイ(１)を取り付けた支持台付きディスプレイにおいて、支持台(３)は脚部(４)と該脚部に設けられディスプレイ(１)を取り付けるための取付け部材(５)を有し、脚部(４)の前も面は塞ぎ板(６)によって開放可能に閉じられており、該前面を開放してディスプレイ(１)の下面又は背面の接続端子(12a)へ前方から手作業が可能に構成され、
脚部(４)の両側にスピーカ部(２)(２)を取り付けた状態の両スピーカ部(２)(２)の外端間の長さＬ２は、スピーカ部(２)(２)を外したディスプレイ(１)の横長さＬ１に略一致し、ディスプレイ(１)の両外端面とスピーカ部(２)(２)の外端面はほぼ揃うことを特徴とする。
【０００９】
全文削除
【００１０】
【作用及び効果】
通常時は、脚部(４)の前面開口は塞ぎ板(６)によって閉じられているから、ディスプレイ(１)の端子へ配線がなされていても隠れてしまい、配線の存在が支持台付きディスプレイのデザインを損なうことはない。
スピーカ部(２)(２)を脚部(４)の両側に配置した場合、スピーカ部(２)(２)の外端間の長さＬ２は、ディスプレイ(１)の横長さＬ１にほぼ一致し、スピーカ部(２)(２)の外端面は、ディスプレイ(１)の両端面に面がほぼ揃うため、デザイン的に違和感がなく、端正に纏まる。
【００１１】
ディスプレイ(１)に、他の映像、音響機器を接続する場合、塞ぎ板(６)を外し或いは開いて、脚部(４)の前面を開放し、ディスプレイ(１)の前方からディスプレイ(１)の下面或いは背面へ手を伸ばして、接続作業を行う。
従来の様に、重量の嵩むディスプレイ(１)及び支持台(３)を前方に移動させる必要はないため、作業性が良く、移動の労力は不要で、移動による床面の傷つきも起こらない。
【００１２】
【発明の実施の形態】
図１は、支持台(３)にディスプレイ(１)を取り付けた状態を斜め前方から見た図、図２は、斜め後方から見た図である。
ディスプレイ(１)は、横長の長方形で厚み９〜１２cmのプラズマディスプレイである。
【００１３】
ディスプレイ(１)の下部中央には、背面から下面に跨って横長の凹み部(11)が設けられ、該凹み部(11)の天井面に端子群(12)が配備されている。
端子群(12)は、ビデオ用端子、光ディスク用端子、ビデオカメラ用端子、コンピュータ用端子等の他の映像、音響機器又はそれらに類する機器を電気的に接続する複数の接続端子(12a)からなり、夫々下方から接続可能に横並びに設けられている。
又、凹み部(11)の一方の側壁に電源端子(13)が横方向から接続可能に設けられている。
【００１４】
ディスプレイ(１)は、両側にスピーカ部(２)(２)を取り外し可能に具えている。
スピーカ部(２)は、ディスプレイ(１)の高さと略同じ高さの縦長である。
スピーカ部(２)は、その背面とディスプレイ(１)の背面に跨って当てられた板状の取付け金具(21)をネジ止めしてディスプレイ(１)に連結固定されている。
【００１５】
支持台(３)は、ディスプレイ(１)を載置する脚部(４)と、ディスプレイ(１)の倒れを防止する取付け部材(５)を有している。
【００１６】
脚部(４)は平板状の金属製ベース(41)上に２本の金属製の脚本体(42)(42)を横並びに上向きに突設し、両脚本体(42)(42)の上部間に連結板(45)をネジ止めして、２本の脚本体(42)(42)を連結している。
２本の脚本体(42)(42)は、それぞれの外側面が、ディスプレイ(１)の外側面からスピーカ部(２)の横幅だけ内方に寄せて配置されている。
【００１７】
実施例では上記連結板(45)は、両脚本体(42)(42)の上端面に被さって固定され、金属製の連結板(45)にはディスプレイ(１)の凹み部(11)に合わせて切欠部(46)が開設されている。
連結板(45)は、２本の脚本体(42)(42)の間隔を保つ補強となるものであり、脚本体(42)の上端から手が余裕のある状態に挿入可能な高さ分だけ下がった位置で両脚本体(42)(42)を連結しても可く、この場合、連結板(45)に切欠部(46)を設けることは不要である。
【００１８】
脚本体(42)(42)に跨って前方から塞ぎ板(６)を当て、該塞ぎ板(６)の両端を脚本体(42)(42)にネジ止めする。
塞ぎ板(６)は、縦長さが脚本体(42)の高さより僅か小さく、横長さが２本の脚本体(42)(42)の外端間の長さより少し短い矩形であり、脚本体(42)(42)間の開口は塞ぎ板(６)によってほぼ全が塞がれる。
実施例の塞ぎ板(６)は厚手のガラス板であり、正面から塞ぎ板(６)の背面側の配線の存在を隠すために、梨地加工、着色加工等により、半透明又は不透明に仕上げられている。
【００１９】
両脚本体(42)(42)には、上向きに突出した板状の金属製取付け部材(５)(５)が配備される。
脚本体(42)は、背面上部に上端に開口する溝状凹部(43)を有し、該溝状凹部(43)に取付け部材(５)を嵌めてボルト止めする。取付け部材(５)の上部は前記連結板(45)をスライド可能に貫通して、脚本体(42)の上端から突出している。
【００２０】
前記連結板(45)には、取付け部材(５)(５)の近傍にて、受け金具(47)(47)がネジ止め固定されている。
【００２１】
ディスプレイ(１)を支持台(３)の上記受け金具(47)(47)に載せ、背面を取付け部材(５)(５)に当ててネジ止め固定する。
ディスプレイ(１)の横幅中心と、脚部(４)の横幅中心は一致する様に取りつけられる。
又、ベース(41)の上面からディスプレイ(１)の底面までの高さは、前記スピーカ部(２)の高さよりも僅か大きい。
【００２２】
然して、普段は、脚部(４)の前面開口は塞ぎ板(６)によって閉じられているから、ディスプレイ(１)端子への配線は隠れてしまい、配線の存在が支持台付きディスプレイのデザインを損なうことはない。
ガラス製の塞ぎ板(６)は、金属製の脚本体(42)やベース(41)との材質の相違による面白さと、デザイン的な調和及び高級感を醸し出す。
【００２３】
ディスプレイ(１)の前後への倒れを防止している取付け部材(５)(５)には、振動等により大きな外力が作用するが、取付け部材(５)はボルト止めで脚本体(42)に固定されていることに加えて、脚本体(42)の上端に固定されいる連結板(45)を貫通しているから、該連結板(45)が取付け部材(５)の倒れに対する補強となり、取付け部材(５)の支持は強固になされている。
【００２４】
ディスプレイ(１)に、他の映像、音響機器を接続する場合、塞ぎ板(６)を外しして脚部(４)の前面を開放し、支持台(３)の後方を通した他の機器の配線を、ディスプレイ(１)の前方から手を伸ばしてディスプレイ(１)の下面の端子群(12)の所望の接続端子(12a)に接続する。
【００２５】
従来の様に他機器との接続のために、重量の嵩むディスプレイ(１)及び支持台(３)を前方に移動させる必要はないため、移動の労力が省けて作業性が良く、又、移動による床面の傷つきも起こらない。
接続作業が終了すれば、再び塞ぎ板(６)で脚部(４)の前面開口を閉じる。
【００２６】
図１に示す如く、ディスプレイ(１)両端のスピーカ部(２)(２)を外して、二点鎖線で示す様に、脚部(４)の両側に配置し、スピーカ部(２)をディスプレイ(１)に固定するの同様にして、スピーカ部(２)と脚部(４)の背面に跨って取付け金具を当ててボルト止めすれば可い。このために、図２に示す如く、脚部(４)の背面にも予めネジ孔(44)を開設しておけば可い。
【００２７】
図１に示す如く、スピーカ部(２)(２)を脚部(４)の両側に配置した場合、スピーカ部(２)(２)の外端間の長さＬ２は、ディスプレイ(１)の横長さＬ１にほぼ一致し、スピーカ部(２)(２)の外端面は、ディスプレイ(１)の両端面に面がほぼ揃うため、デザイン的に違和感がなく、端正に纏まる。
【００２８】
上記実施例では、塞ぎ板(６)は取り外し可能としたが、これに限定されることはなく、蝶番等により、左右或いは上下の何れかに回動して脚本体(42)(42)間の前面を開閉する構造を採用することも出来、或いは塞ぎ板を左右にスライドして脚本体(42)(42)の前面を開閉する引き戸構造を採用することも出来るのは勿論であり、要は、塞ぎ板(６)は、普段は脚部(４)の前面開口を、奥の配線を隠す様に塞ぎ、他機器との接続の必要が生じたときは、塞ぎ板(６)を外し、或いは開いて、脚部(４)の前面を開口できれば、塞ぎ板(６)の材質、取付け構造は問わない。
【００２９】
又、上記実施例では、ディスプレイ(１)は背面を取付け部材(５)にネジ止め固定したが、ディスプレイ(１)に該取付け部材(５)が差込み可能な孔を開設して、ネジ止めを省略する等、ディスプレイ(１)の支持台(３)に対する取付け手段は問わない。
【００３０】
又、上記実施例では、ディスプレイ(１)は下面中央に端子群(12)を設けているが、ディスプレイ(１)の前方から下方を通って手の伸ばせる範囲で端子群(12)がディスプレイ(１)の背面に配備されていても、本発明は実施可能である。
【００３１】
本発明は、上記実施例の構成に限定されることはなく、特許請求の範囲に記載の範囲で種々の変形が可能である。
【図面の簡単な説明】
【図１】支持台付きディスプレイの正面側の斜面図である。
【図２】同上の背面側の正面図である。
【図３】塞ぎ板を外した状態の支持台の斜面図である。
【図４】図１Ａ−Ａ線に沿う断面図である。
【図５】支持台付きディスプレイの中央部の縦断面図である。
【図６】従来例の斜面図である。
【符号の説明】
(１)  ディスプレイ
(11)  凹み部
(12)  端子群
(２)  スピーカ部
(３)  支持台
(４)  脚部
(41)  ベース
(42)  脚本体
(45)  連結板
(６)  塞ぎ板
【図１】
0003711036.tif 000002
【図２】
0003711036.tif 000003
【図３】
0003711036.tif 000004
【図４】
0003711036.tif 000005
【図５】
0003711036.tif 000006
【図６】
0003711036.tif 000007